(57)【要約】【課題】光源駆動部の変換効率を改善する。【解決手段】光源点灯装置は、入力電圧を第１の電圧に変換するＤＣ／ＤＣコンバーター部２と、ＤＣ／ＤＣコンバーター部２から出力された第１の電圧を入力とし、所定の量の駆動電流が発光素子４に流れるように発光素子４に印加される出力電圧を変化させる光源駆動部３と、を有する。ＤＣ／ＤＣコンバーター部２は、発光素子４の点灯開始時は、第１の電圧を所定の電圧に固定し、点灯後は、光源駆動部３の入力電圧Ｖｉｎと出力電圧Ｖｏｕｔの差が所定の値になるように第１の電圧を調整する。【選択図】図１
2015106551.tif 000002
【特許請求の範囲】
【請求項１】
発光素子を点灯する光源点灯装置であって、
入力電圧を第１の電圧に変換するコンバーター部と、
前記コンバーター部から出力された前記第１の電圧、および前記発光素子の駆動電流値を示す制御信号を入力とし、該制御信号により示される値の駆動電流が前記発光素子に流れるように前記発光素子に印加される出力電圧を変化させる光源駆動部と、を有し、
前記コンバーター部は、前記発光素子の点灯開始時は、前記第１の電圧を所定の電圧に固定し、点灯後は、前記光源駆動部の入力電圧と出力電圧の差が所定の値になるように前記第１の電圧を調整する、光源点灯装置。
【請求項２】
前記光源駆動部は、
前記コンバーター部から供給された前記第１の電圧を入力とし、前記第１の電圧よりも低い第２の電圧を前記発光素子に供給し、該第２の電圧が前記発光素子の動作順電圧に応じて変化するコンバーター回路と、
前記コンバーター回路から出力される前記第２の電圧を所定の時間間隔で検出する電圧検出部と、を有し、
前記コンバーター部は、前記電圧検出部により検出した前記第２の電圧の検出電圧に前記所定の値の電位差を加えたものを前記第１の電圧とする出力電圧制御回路を有する、請求項１に記載の光源点灯装置。
【請求項３】
前記出力電圧制御回路は、前記発光素子の点灯開始時点から第１の所定の時間を経過するまでは、前記第１の電圧を前記所定の電圧に固定し、該第１の所定の時間が経過した後は、前記電圧検出部により検出した前記第２の電圧の検出電圧に前記所定の値の電位差を加えたものを前記第１の電圧とする、請求項２に記載の光源点灯装置。
【請求項４】
前記光源駆動部は、前記制御信号に従って、前記発光素子に流れる電流量を変更し、
前記出力電圧制御回路は、前記電流量の変更時点から第２の所定の時間が経過するまでは、前記第１の電圧を前記所定の電圧に固定し、該第２の所定の時間が経過した後は、前記電圧検出部により検出した前記第２の電圧の検出電圧に前記所定の値の電位差を加えたものを前記第１の電圧とする、請求項３に記載の光源点灯装置。
【請求項５】
前記コンバーター部は、時間を計測するタイマーを、さらに有し、
前記出力電圧制御回路は、点灯開始指示に応じて前記タイマーを起動させ、該タイマーの計測時間に基づいて前記第１の所定の時間が経過したか否かを判定する、請求項３または４に記載の光源点灯装置。
【請求項６】
前記出力電圧制御回路は、前記制御信号による駆動電流の変更に応じて前記タイマーを起動させ、該タイマーの計測時間に基づいて前記第２の所定の時間が経過したか否かを判定する、請求項５に記載の光源点灯装置。
【請求項７】
前記コンバーター部は、点灯開始指示に応じて経過時間を計測する第１のタイマーを、さらに有し、
前記出力電圧制御回路は、前記第１のタイマーの計測時間に基づいて前記第１の所定の時間が経過したか否かを判定する、請求項３または４に記載の光源点灯装置。
【請求項８】
前記コンバーター部は、前記制御信号による駆動電流の変更に応じて経過時間を計測する第２のタイマーを、さらに有し、
前記出力電圧制御回路は、前記第２のタイマーの計測時間に基づいて前記第２の所定の時間が経過したか否かを判定する、請求項７に記載の光源点灯装置。
【請求項９】
第１の電圧を入力とし、所定の量の駆動電流が発光素子に流れるように前記発光素子に印加される出力電圧を変化させる光源駆動部を備えた装置において行われる光源点灯方法であって、
前記発光素子の点灯開始時は、前記第１の電圧を所定の電圧に固定し、点灯後は、前記光源駆動部の入力電圧と出力電圧の差が所定の値になるように、前記第１の電圧を調整する、光源点灯方法。
【請求項１０】
発光素子と、
前記発光素子を点灯する光源点灯装置と、
前記光源点灯装置の点灯動作を制御するとともに、前記発光素子の駆動電流値を示す制御信号を前記光源点灯装置に供給する制御部と、を有し、
前記光源点灯装置は、
入力電圧を第１の電圧に変換するコンバーター部と、
前記コンバーター部から出力された前記第１の電圧を入力とし、前記制御信号により示される値の駆動電流が前記発光素子に流れるように前記発光素子に印加される出力電圧を変化させる光源駆動部と、を有し、
前記コンバーター部は、前記発光素子の点灯開始時は、前記第１の電圧を所定の電圧に固定し、点灯後は、前記光源駆動部の入力電圧と出力電圧の差が所定の値になるように前記第１の電圧を調整する、電子機器。
【発明の詳細な説明】
【技術分野】
【０００１】
本発明は、ＬＤ（Laser Diode）やＬＥＤ（Light Emitting Diode）などの発光素子を点灯する光源点灯装置及び光源点灯方法に関する。また、本発明は、そのような光源点灯装置を備えた電子機器に関する。
【背景技術】
【０００２】
図６に、光源点灯装置の一例を示す。図６に示すように、光源点灯装置は、電源１、ＤＣ/ＤＣコンバーター部２及び光源駆動部３を有する。
【０００３】
電源１は、交流電力から直流電力を生成する回路であって、例えば、交流電力を全波整流して直流電力を出力する整流回路と、この整流回路の出力を入力とするＰＦＣ（Power Factor Correction）回路とを有する。
【０００４】
ＰＦＣ回路は、力率の補正を行う回路であって、例えば、ダイオード、スイッチング素子、平滑コンデンサーなどで構成される。ＰＦＣ回路の出力電圧が、ＤＣ/ＤＣコンバーター部２に供給される。
【０００５】
ＤＣ/ＤＣコンバーター部２は、ＰＦＣ回路の出力電圧を所定の電圧に変換するコンバーター回路２ａを有する。コンバーター回路２ａの出力電圧が、入力電圧Ｖｉｎとして光源駆動部３に供給される。
【０００６】
光源駆動部３は、定電流駆動により光源を点灯させるものであって、コンバーター回路２ａより出力された電圧を受けて動作するコンバーター回路３ａを有する。コンバーター回路３ａの出力ラインには、光源である複数の発光素子４が直列に接続されている。
【０００７】
コンバーター回路３ａは、本光源点灯装置及び光源を搭載した装置本体のＣＰＵ（Central Processing Unit）部５から点灯信号Ｓ１及び駆動電流可変信号Ｓ２を受信する。コンバーター回路３ａは、点灯信号Ｓ１がＯＮ状態のときに、駆動電流可変信号Ｓ２により示された駆動電流量が各発光素子４に流れるように電流制御を行う。このときのコンバーター回路３ａの出力電圧Ｖｏｕｔは、各発光素子４の動作順電圧Ｖｆの総和である。
【０００８】
次に、上記の光源点灯装置による光源点灯動作を簡単に説明する。
【０００９】
電源１及びＤＣ／ＤＣコンバーター部２が動作状態であって、ＣＰＵ部５が出力する点灯信号Ｓ１がＯＦＦ状態のときは、コンバーター回路３ａは、光源に駆動電流を供給しない。この状態は、例えば、装置本体が、待機モードのときの状態に相当する。
【００１０】
電源１及びＤＣ／ＤＣコンバーター部２が動作状態であって、ＣＰＵ部５が出力する点灯信号Ｓ１がＯＮ状態であるととともに駆動電流可変信号Ｓ２がコンバーター回路３ａに供給されているときには、コンバーター回路３ａは、各発光素子４に流れる電流量が駆動電流可変信号Ｓ２により示された駆動電流量になるように電流制御を行う。これにより、光源の各発光素子４が点灯する。
【００１１】
光源の照度を変更する場合は、ＣＰＵ部５が、ユーザによる照度変更のための入力操作に応じて、変更後の照度に対応する駆動電流量を示す駆動電流可変信号Ｓ２をコンバーター回路３ａに供給する。コンバーター回路３ａは、各発光素子４に流れる電流量が駆動電流可変信号Ｓ２により示された変更後の駆動電流量になるように電流制御を行う。
【００１２】
上述の光源点灯装置では、所定の量の駆動電流を発光素子４に確実に供給できるように、光源駆動部３の入力電圧Ｖｉｎ（コンバーター回路２ａの出力電圧）は、以下の式１に基づいて設定される。
【００１３】
【数１】
2015106551.tif 000003
【００１４】
上記式１において、Ｖｆ（ｍａｘ）は発光素子４の最大動作順電圧を示し、ｎ（１以上の自然数）は発光素子４の数を示す。ΔＶ１は、光源駆動部３の入出力電位差の想定値であって、通常、光源駆動部３の動作に必要、且つ、最も変換効率の良い値に設定される。
【００１５】
最大動作順電圧Ｖｆ（ｍａｘ）は、発光素子４の初期バラツキや特性（例えば、温度特性や寿命特性）、実力値に対するマージンなどを考慮して設定される。
【００１６】
初期バラツキは、発光素子４の動作順電圧Ｖｆの個体差である。
【００１７】
温度特性は、一般に、温度が低いほど動作順電圧Ｖｆが高くなり、温度が高いほど動作順電圧Ｖｆが低くなる特性を示す。この温度特性によれば、発光素子４に駆動電流が流れ始めると、発光素子４の温度が上昇し、それに伴って動作順電圧Ｖｆが低くなる。
【００１８】
発光素子４の経年変化により、動作順電圧Ｖｆが徐々に上昇していく傾向があり、このような特性が寿命特性と呼ばれている。
【００１９】
上記の個体差による動作順電圧Ｖｆのバラツキや、温度特性及び寿命特性による動作順電圧Ｖｆの変動に加え、確実に駆動できる電圧マージンを確保したものが最大動作順電圧Ｖｆ（ｍａｘ）である。
【００２０】
上記式１に従い、発光素子４を最大動作順電圧Ｖｆ（ｍａｘ）でも動作可能のように入力電圧Ｖｉｎを設定することで、所定の量の駆動電流を発光素子４に確実に供給できる。
【００２１】
図７に、図６に示した光源点灯装置の光源駆動動作のタイムチャートを示す。
【００２２】
図７を参照すると、光源駆動部３のコンバーター回路３ａの入力電圧Ｖｉｎは、電圧［Ｖｆ（ｍａｘ）×ｎ＋ΔＶ１］に固定されている。
【００２３】
時間Ｔ１で、点灯信号Ｓ１がＯＮ状態になり、駆動電流可変信号Ｓ２として設定値Ａ１がセットされる。コンバーター回路３ａは、各発光素子４に供給される電流量が設定値Ａ１により示される駆動電流量になるように電流制御を行う。これにより、各発光素子４が点灯する。
【００２４】
点灯後、各発光素子４の温度が徐々に上昇し、それに伴って動作順電圧Ｖｆが低下する。動作順電圧Ｖｆの低下に伴って、コンバーター回路３ａの出力電圧Ｖｏｕｔが低下する。
【００２５】
時間Ｔ２以降は、各発光素子４の動作状態が安定し、各発光素子４の温度及びコンバーター回路３ａの出力電圧Ｖｏｕｔは略一定となる。
【００２６】
時間Ｔ３で、駆動電流可変信号Ｓ２の設定値がＡ１からＡ２（＜Ａ１）に切り替わると、コンバーター回路３ａは、各発光素子４に供給される電流量が設定値Ａ２により示される駆動電流量になるように電流制御を行う。これにより、各発光素子４に供給される電流量は、設定値Ａ１により示される駆動電流量から設定値Ａ２により示される駆動電流量に減少する。
【００２７】
各発光素子４に供給される電流量が減少すると、各発光素子４の温度が徐々に下降し、それに伴って動作順電圧Ｖｆが上昇する。動作順電圧Ｖｆの上昇に伴って、コンバーター回路３ａの出力電圧Ｖｏｕｔが上昇する。
【００２８】
時間Ｔ４以降は、各発光素子４の動作状態が安定し、各発光素子４の温度及びコンバーター回路３ａの出力電圧Ｖｏｕｔは略一定となる。
【００２９】
光源点灯装置の他の例として、特許文献１に、ＬＥＤ点灯装置が記載されている。
【００３０】
特許文献１に記載のＬＥＤ点灯装置は、第１バックコンバーター、第２バックコンバーター及び制御手段を有する。
【００３１】
第１バックコンバーターは、入力電圧を第１電圧まで降圧する。第２バックコンバーターは、第１バックコンバーターの出力である第１電圧を第２電圧まで降圧してＬＥＤに供給する。
【００３２】
第１バックコンバーター及び第２バックコンバーターはいずれも、スイッチング部を備えている。これらスイッチング部のデューティー比を増減することで、ＬＥＤに供給される電流や電圧を調整することができる。
【００３３】
第２バックコンバーターの出力ラインには、電圧を検出するための抵抗素子が挿入されている。制御手段は、抵抗素子の両端に発生する電圧を検出し、検出結果に基づいて、第１バックコンバーター及び第２バックコンバーターの双方のスイッチング部の動作を制御する。
【００３４】
具体的には、制御手段は、検出電圧が減少した場合は、双方のスイッチング部のデューティー比を増加させ、検出電圧が増加した場合には、双方のスイッチング部のデューティー比を減少させる。これにより、抵抗素子に生じる電圧（ＬＥＤに供給される電圧）を所定の電圧で維持できる。
【先行技術文献】
【特許文献】
【００３５】
【特許文献１】国際公開ＷＯ２０１２／１４４２７４号公報
【発明の概要】
【発明が解決しようとする課題】
【００３６】
一般に、光源駆動部３の変換効率は、入力電圧Ｖｉｎに対する出力電圧Ｖｏｕｔの割合で決まることから、入力電圧Ｖｉｎと出力電圧Ｖｏｕｔの差である入出力電位差ΔＶが小さいほど変換効率が高くなる。出力電圧Ｖｏｕｔは、発光素子４の動作順電圧Ｖｆの総和であるが、この出力電圧Ｖｏｕｔに対して、入力電圧Ｖｉｎを高く設定すると、入出力電位差ΔＶが大きくなって、光源駆動部３の変換効率が低下する。光源駆動部３の変換効率が低下すると、光源駆動部３の温度上昇や消費電力増大の問題を生じる。
【００３７】
図６に示した光源点灯装置においては、発光素子４が最大動作順電圧Ｖｆ（ｍａｘ）でも動作できるように、入力電圧Ｖｉｎは、［Ｖｆ（ｍａｘ）×ｎ＋ΔＶ１］に固定されている。この場合、入力電圧Ｖｉｎは、出力電圧Ｖｏｕｔに対して非常に大きくなるため、入出力電位差ΔＶが大きくなって、光源駆動部３の変換効率が低下する。
【００３８】
例えば、発光素子４の点灯動作状態の順電圧をＶｆ（ｏｐ）とすると、Ｖｆ（ｍａｘ）＞Ｖｆ（ｏｐ）の関係にあり、入力電圧Ｖｉｎは、出力電圧Ｖｏｕｔに対して、［Ｖｆ（ｍａｘ）−Ｖｆ（ｏｐ）］×ｎだけ大きくなる。この結果、入出力電位差ΔＶが大きなって、光源駆動部３の変換効率が低下し、上記の温度上昇や消費電力増大の問題を生じる。
【００３９】
特許文献１に記載のＬＥＤ点灯装置においては、抵抗素子に生じる電圧（すなわち、電圧Ｖｏｕｔ）を所定の電圧に維持する。この場合、例えば、温度特性等によりＬＥＤの動作順方向電圧Ｖｆが変動した場合に、所定の量の駆動電流をＬＥＤに供給できず、ＬＥＤが点灯しないことがある。
【００４０】
なお、ＬＥＤを最大動作順電圧Ｖｆ（ｍａｘ）でも動作させることができるように所定の電圧を設定することで、ＬＥＤを確実に点灯させることができるが、この場合は、第１及び第２バックコンバーターからなる変換部の入出力電位差ΔＶが大きくなって、変換部の変換効率が低下し、上記の温度上昇や消費電力増大の問題を生じる。
【００４１】
本発明の目的は、光源駆動部の変換効率を改善することができる、光源点灯装置及び光源点灯方法を提供することにある。
【００４２】
また、本発明の他の目的は、そのような光源点灯装置を備えた電子機器を提供することにある。
【課題を解決するための手段】
【００４３】
上記目的を達成するために、本発明の一態様によれば、
発光素子を点灯する光源点灯装置であって、
入力電圧を第１の電圧に変換するコンバーター部と、
前記コンバーター部から出力された前記第１の電圧、および前記発光素子の駆動電流値を示す制御信号を入力とし、該制御信号により示される値の駆動電流が前記発光素子に流れるように前記発光素子に印加される出力電圧を変化させる光源駆動部と、を有し、
前記コンバーター部は、前記発光素子の点灯開始時は、前記第１の電圧を所定の電圧に固定し、点灯後は、前記光源駆動部の入力電圧と出力電圧の差が所定の値になるように前記第１の電圧を調整する、光源点灯装置が提供される。
【００４４】
また、本発明の別の態様によれば、
第１の電圧を入力とし、所定の量の駆動電流が発光素子に流れるように前記発光素子に印加される出力電圧を変化させる光源駆動部を備えた装置において行われる光源点灯方法であって、
前記発光素子の点灯開始時は、前記第１の電圧を所定の電圧に固定し、点灯後は、前記光源駆動部の入力電圧と出力電圧の差が所定の値になるように、前記第１の電圧を調整する、光源点灯方法が提供される。
【００４５】
上記他の目的を達成するために、本発明の一態様によれば、
発光素子と、
前記発光素子を点灯する光源点灯装置と、
前記光源点灯装置の点灯動作を制御するとともに、前記発光素子の駆動電流値を示す制御信号を前記光源点灯装置に供給する制御部と、を有し、
前記光源点灯装置は、
入力電圧を第１の電圧に変換するコンバーター部と、
前記コンバーター部から出力された前記第１の電圧を入力とし、前記制御信号により示される値の駆動電流が前記発光素子に流れるように前記発光素子に印加される出力電圧を変化させる光源駆動部と、を有し、
前記コンバーター部は、前記発光素子の点灯開始時は、前記第１の電圧を所定の電圧に固定し、点灯後は、前記光源駆動部の入力電圧と出力電圧の差が所定の値になるように前記第１の電圧を調整する、電子機器が提供される。
【発明の効果】
【００４６】
本発明によれば、光源駆動部の変換効率を改善することができる。
【図面の簡単な説明】
【００４７】
【図１】本発明の第１の実施形態である光源点灯装置の構成を示すブロック図である。
【図２】図１に示す光源点灯装置の光源駆動動作を説明するための図である。
【図３】本発明の第２の実施形態である光源点灯装置の構成を示すブロック図である。
【図４】本発明の第３の実施形態である光源点灯装置の構成を示すブロック図である。
【図５】本発明の電子機器の構成を示すブロック図である。
【図６】本発明の関連技術である光源点灯装置の一例を示すブロック図である。
【図７】図６に示す光源点灯装置の光源駆動動作を説明するための図である。
【発明を実施するための形態】
【００４８】
次に、本発明の実施形態について図面を参照して説明する。
【００４９】
（第１の実施形態）
図１は、本発明の第１の実施形態である光源点灯装置の構成を示すブロック図である。
【００５０】
図１を参照すると、光源点灯装置は、ＬＤやＬＥＤなどの発光素子よりなる光源を点灯するものであって、電源１、ＤＣ／ＤＣコンバーター部２及び光源駆動部３を有する。電源１は、図６に示したものと同じ構成である。
【００５１】
ＤＣ／ＤＣコンバーター部２及び光源駆動部３は、図６に示したものとは一部の構成が異なる。
【００５２】
ＤＣ／ＤＣコンバーター部２は、電源１のＰＦＣ回路の出力電圧を第１の電圧に変換する。ＤＣ／ＤＣコンバーター部２は、光源の点灯開始時は、第１の電圧として所定の電圧［Ｖｆ（ｍａｘ）×ｎ＋ΔＶ１］を出力し、点灯後（例えば、点灯開始時時点から所定の時間が経過した後）は、光源駆動部３の出力電圧と入力電圧の差（入出力電位差）が所定の値になるように第１の電圧を調整する。
【００５３】
光源駆動部３は、定電流駆動により光源を点灯させるものであって、ＤＣ／ＤＣコンバーター部２から第１の電圧が供給されることにより動作し、点灯開始指示に応じて、光源に電流を供給して点灯させるとともに、光源に流れる駆動電流が所定の量になるように電流制御を行う。
【００５４】
以下に、ＤＣ／ＤＣコンバーター部２及び光源駆動部３の構成を具体的に説明する。
【００５５】
ＤＣ／ＤＣコンバーター部２は、コンバーター回路２ａ及び出力電圧制御回路６を有する。光源駆動部３は、コンバーター回路３ａ及び出力電圧検出回路７を有する。光源駆動部３の出力には、光源である複数の発光素子４が直列に接続されている。発光素子４は、ＬＤやＬＥＤなどの固体光源である。
【００５６】
コンバーター回路２ａは、電源１のＰＦＣ回路の出力電圧を第１の電圧に変換する。第１の電圧が入力電圧Ｖｉｎとして、コンバーター回路３ａに供給される。
【００５７】
コンバーター回路３ａは、図６に示したものと同じものであって、ＤＣ／ＤＣコンバーター部２より出力された第１の電圧を受けて動作し、各発光素子４に所定の量の駆動電流が流れるように定電流駆動を行う。点灯信号１及び駆動電流可変信号Ｓ２が、装置本体のＣＰＵ部５からコンバーター回路３ａに供給される。
【００５８】
出力電圧検出回路７は、コンバーター回路３ａより出力される第２の電圧（出力電圧Ｖｏｕｔ）を監視し、その監視結果（検出電圧）を示す出力電圧検出信号Ｐを出力電圧制御回路６に供給する。例えば、出力電圧検出回路７は、一定時間毎に、出力電圧Ｖｏｕｔを検出し、その検出結果を示す出力電圧検出信号Ｐを出力電圧制御回路６に供給してもよい。
【００５９】
出力電圧制御回路６は、装置本体のＣＰＵ部５から起動／停止を示すＯＮ／ＯＦＦ信号（起動制御信号）Ｓ３を受信する。ＯＮ／ＯＦＦ信号Ｓ３がＯＮ状態のとき、出力電圧制御回路６は、出力電圧検出信号Ｐに基づいて、ＤＣ／ＤＣコンバーター部２の出力電圧（光源駆動部３の入力電圧Ｖｉｎ）を調整する。ＯＮ／ＯＦＦ信号Ｓ３がＯＦＦ状態のときは、出力電圧制御回路６による出力電圧制御は行われない。
【００６０】
以下に、出力電圧制御回路６の構成について説明する。ただし、以下の第１及び第２の構成は一例であって、他の構成（既存の昇圧回路や降圧回路における出力電圧制御回路）を出力電圧制御回路６に適用してもよい。
【００６１】
（出力電圧制御回路６の第１の構成）
出力電圧制御回路６は、出力電圧検出信号Ｐに基づいて、コンバーター回路２ａの昇圧又は降圧の動作を制御する。具体的には、出力電圧制御回路６は、出力電圧検出信号Ｐにより示される検出電圧にコンバーター回路３ａの入出力電位差の想定値ΔＶ１を加えた電圧［Ｖｏｕｔ＋ΔＶ１］を第１の電圧としてコンバーター回路２ａより出力させてもよい。
【００６２】
上記の構成において、例えば、コンバーター回路２ａを、デューティー比を増減することで出力電圧を調整することができるスイッチング部（例えば、スイッチングレギュレータ部）により構成した場合、出力電圧制御回路６は、第１の電圧として電圧［Ｖｏｕｔ＋ΔＶ１］が出力されるようにスイッチング部のデューティー比を増減してもよい。
【００６３】
上記の場合、出力電圧制御回路部６は、コンバーター回路２ａの出力電圧とコンバーター回路３ａの出力電圧Ｖｏｕｔの検出電圧との差電圧を検出する比較回路（差動アンプ）と、ＯＮ／ＯＦＦ信号Ｓ３がＯＮ状態のときに、差電圧が所定の値（ΔＶ１）になるようにコンバーター回路２ａのデューティー比を調整する電圧制御部と、を有していてもよい。
【００６４】
（出力電圧制御回路６の第２の構成）
出力電圧制御回路６は、ＯＮ／ＯＦＦ信号Ｓ３がＯＮ状態のときに、出力電圧検出信号Ｐに基づく電圧［Ｖｏｕｔ＋ΔＶ１］を生成する。
【００６５】
上記の場合、出力電圧制御回路部６は、光源駆動部３の出力電圧Ｖｏｕｔの検出電圧に入出力電位差ΔＶ１を加えた電圧［Ｖｏｕｔ＋ΔＶ１］を出力する電圧発生部と、コンバーター回路２ａの出力電圧が供給される第１の入力端子と、電圧発生部の出力電圧が供給される第２の入力端子と、出力端子とを備え、ＯＮ／ＯＦＦ信号Ｓ３がＯＦＦ状態の場合は、第１の入力端子に入力された電圧を出力端子から出力させ、ＯＮ状態の場合は、第２の入力端子に入力された電圧を出力端子から出力させるスイッチ手段と、を有していてもよい。
【００６６】
次に、本実施形態の光源点灯装置の動作について説明する。
【００６７】
図２に、光源駆動動作のタイムチャートを示す。以下、図１及び図２を参照して動作を説明する。
【００６８】
電源１、ＤＣ／ＤＣコンバーター部２及び光源駆動部３は動作状態であり、点灯信号Ｓ１及びＯＮ／ＯＦＦ信号Ｓ３は共にＯＦＦ状態である。この状態では、ＤＣ／ＤＣコンバーター部２は、第１の電圧として電圧［Ｖｆ（ｍａｘ）×ｎ＋ΔＶ１］を出力するが、コンバーター回路３ａは発光素子に電流を供給しない。
【００６９】
時間Ｔ１で、点灯信号Ｓ１がＯＮ状態になり、設定値Ａ１を示す駆動電流可変信号Ｓ２がコンバーター回路３ａに供給される。ＤＣ／ＤＣコンバーター部２は第１の電圧として電圧［Ｖｆ（ｍａｘ）×ｎ＋ΔＶ１］をコンバーター回路３ａに供給する。コンバーター回路３ａは、電圧［Ｖｆ（ｍａｘ）×ｎ＋ΔＶ１］を受けて動作し、各発光素子４に供給される電流量が設定値Ａ１により示される駆動電流量になるように電流制御を行う。これにより、各発光素子４が点灯する。
【００７０】
時間Ｔ１から時間Ｔ３までの期間は、点灯信号Ｓ１はＯＮ状態、ＯＮ／ＯＦＦ信号Ｓ３はＯＦＦ状態であるので、光源駆動部３の入力電圧Ｖｉｎは、電圧［Ｖｆ（ｍａｘ）×ｎ＋ΔＶ１］に固定されている。コンバーター回路３ａは、電圧［Ｖｆ（ｍａｘ）×ｎ＋ΔＶ１］を受けて動作し、上記電流制御（定電流駆動）を継続する。
【００７１】
点灯後、各発光素子４の温度が徐々に上昇し、それに伴って動作順電圧Ｖｆが低下する。動作順電圧Ｖｆが低下すると、動作順電圧Ｖｆの低下に伴ってコンバーター回路３ａの出力電圧Ｖｏｕｔが低下する。
【００７２】
時間Ｔ２で、各発光素子４の動作状態が安定し、時間Ｔ２以降は、各発光素子４の温度及びコンバーター回路３ａの出力電圧Ｖｏｕｔは略一定となる。
【００７３】
時間Ｔ３で、ＯＮ／ＯＦＦ信号Ｓ３がＯＮ状態になると、出力電圧制御回路６が、出力電圧検出信号Ｐに基づいて、ＤＣ／ＤＣコンバーター部２の出力電圧（光源駆動部３の入力電圧Ｖｉｎ）を調整する。具体的には、出力電圧制御回路６は、検出電圧に入出力電位差ΔＶ１を加えた電圧［Ｖｏｕｔ＋ΔＶ１］を第１の電圧としてＤＣ／ＤＣコンバーター部２より出力させる。コンバーター回路３ａは、電圧［Ｖｏｕｔ＋ΔＶ１］を受けて動作し、上記電流制御（定電流駆動）を継続する。
【００７４】
時間Ｔ３〜時間Ｔ４までの期間は、点灯信号Ｓ１及びＯＮ／ＯＦＦ信号Ｓ３は共にＯＮ状態であるので、出力電圧制御回路６の電圧制御により、ＤＣ／ＤＣコンバーター部２は電圧［Ｖｏｕｔ＋ΔＶ１］を出力する。コンバーター回路３ａは、電圧［Ｖｏｕｔ＋ΔＶ１］を受けて動作し、上記電流制御（定電流駆動）を継続する。
【００７５】
時間Ｔ４で、駆動電流可変信号Ｓ２の設定値がＡ１からＡ２（＜Ａ１）に切り替わると同時に、ＯＮ／ＯＦＦ信号Ｓ３がＯＦＦ状態になる。
【００７６】
時間Ｔ４〜時間Ｔ５までの期間は、点灯信号Ｓ１はＯＮ状態、ＯＮ／ＯＦＦ信号Ｓ３はＯＦＦ状態であるので、出力電圧制御回路６による電圧制御は行われない。このため、光源駆動部３の入力電圧Ｖｉｎは、電圧［Ｖｆ（ｍａｘ）×ｎ＋ΔＶ１］に固定される。コンバーター回路３ａは、電圧［Ｖｆ（ｍａｘ）×ｎ＋ΔＶ１］を受けて動作し、各発光素子４に供給される電流量が設定値Ａ２により示される駆動電流量になるように電流制御を行う。これにより、各発光素子４に供給される電流量は、設定値Ａ１により示される駆動電流量から設定値Ａ２により示される駆動電流量に減少する。
【００７７】
各発光素子４に供給される電流量が減少すると、各発光素子４の温度が徐々に下降し、それに伴って動作順電圧Ｖｆが上昇する。動作順電圧Ｖｆが上昇すると、動作順電圧Ｖｆの上昇に伴ってコンバーター回路３ａの出力電圧Ｖｏｕｔが上昇する。その後、各発光素子４の動作状態が安定し、各発光素子４の温度及びコンバーター回路３ａの出力電圧Ｖｏｕｔは略一定となる。
【００７８】
時間Ｔ５で、ＯＮ／ＯＦＦ信号Ｓ３がＯＮ状態になると、出力電圧制御回路６が、出力電圧検出信号Ｐに基づいて、ＤＣ／ＤＣコンバーター部２の出力電圧（光源駆動部３の入力電圧Ｖｉｎ）を調整する。具体的には、出力電圧制御回路６は、検出電圧に入出力電位差ΔＶ１を加えた電圧［Ｖｏｕｔ＋ΔＶ１］を第１の電圧としてＤＣ／ＤＣコンバーター部２より出力させる。コンバーター回路３ａは、電圧［Ｖｏｕｔ＋ΔＶ１］を受けて動作し、上記電流制御（定電流駆動）を継続する。
【００７９】
駆動電流可変信号Ｓ２により駆動電流を増減する場面としては、例えば、コントラストを調整するとき、装置本体周辺の明るさに合わせて照度を変更するとき、装置本体の消費電力を下げるとき、発光素子４の寿命を延ばすときなどがある。継続点灯時に、駆動電流を上げる場合は、順動作電圧Ｖｆが下がるため、時間Ｔ３〜Ｔ４の期間の動作を継続させる。
【００８０】
上述した光源駆動動作により、以下のような作用効果を奏する。
【００８１】
点灯開始時（時間Ｔ１〜Ｔ３の期間）や照度変更時（時間Ｔ４〜Ｔ５の期間）は、発光素子４が最大動作順電圧Ｖｆ（ｍａｘ）でも動作できるように、光源駆動部３の入力電圧Ｖｉｎは、［Ｖｆ（ｍａｘ）×ｎ＋ΔＶ１］に設定される。これにより、発光素子４を確実に駆動することができる。
【００８２】
例えば、常温又は低温状態で発光素子４に駆動電流を確実に流すためには、発光素子４を最大動作順電圧Ｖｆ（ｍａｘ）で動作させる必要がある。入力電圧Ｖｉｎを［Ｖｆ（ｍａｘ）×ｎ＋ΔＶ１］に設定することで、そのような動作環境でも、発光素子４を確実に駆動することができる。
【００８３】
発光素子４の点灯後、又は、発光素子４の照度変更後、所定の時間が経過した後は、出力電圧制御回路６による電圧制御が行われ、コンバーター回路３ａの出力電圧に入出力電位差ΔＶ１を加えた電圧［Ｖｏｕｔ＋ΔＶ１］が入力電圧Ｖｉｎとしてコンバーター回路３ａに供給される。この入力電圧Ｖｉｎの［Ｖｏｕｔ＋ΔＶ１］値は、上記の入力電圧Ｖｉｎの［Ｖｆ（ｍａｘ）×ｎ＋ΔＶ１］値よりも小さい。
【００８４】
例えば、発光素子４が点灯動作状態のときの順電圧をＶｆ（ｏｐ）とすると、Ｖｆ（ｍａｘ）＞Ｖｆ（ｏｐ）の関係にあり、［Ｖｏｕｔ＋ΔＶ１］値は、［Ｖｆ（ｍａｘ）×ｎ＋ΔＶ１］の値と比較して、［Ｖｆ（ｍａｘ）−Ｖｆ（ｏｐ）］×ｎだけ小さい。このように、光源駆動部３の入出力電位差ΔＶを小さくすることができるので、光源駆動部３の変換効率を高めることができる。
【００８５】
また、仮に、出力電圧制御回路６による電圧制御中に、発光素子４の動作順電圧Ｖｆが変動した場合は、動作順電圧Ｖｆの変動に伴ってコンバーター回路３ａの出力電圧Ｖｏｕｔも変動する。本実施形態では、出力電圧Ｖｏｕｔを一定時間間隔で監視し、その検出電圧に応じて入力電圧Ｖｉｎを設定しているので、そのような動作順電圧Ｖｆの変動の影響を受けることがなく、光源駆動部３を最大効率で動作せることができる。
【００８６】
以上のように、本実施形態の光源点灯装置によれば、光源駆動部３の出力電圧Ｖｏｕｔを監視し、出力電圧検出信号Ｐに基づいてＤＣ／ＤＣコンバーター部２の出力電圧（光源駆動部３の入力電圧Ｖｉｎ）を制御することで、所定の量の駆動電流を発光素子４に確実に供給しつつ、光源駆動部３を最大効率で動作させることができる。これにより、光源駆動部３の温度上昇を抑制でき、また、光源駆動部３の損失を低く抑えて、消費電力を削減することができる。
【００８７】
なお、図２に示した動作では、発光素子４の点灯後、又は、発光素子４の照度変更後、所定の時間が経過した後に、出力電圧制御回路６による電圧制御が行われるようになっているが、これは、以下の理由による。
【００８８】
図７に示した動作例（入力電圧Ｖｉｎを電圧［Ｖｆ（ｍａｘ）＋ΔＶ１］に固定したもの）において、時間Ｔ１〜Ｔ２の期間や時間Ｔ３〜Ｔ４の期間は、発光素子４の動作順電圧Ｖｆが変動し、それに伴って出力電圧Ｖｏｕｔも変動することから、出力電圧Ｖｏｕｔの変動状況によっては光源駆動部３の入出力電位差ΔＶがさほど大きくならない場合もある。このため、出力電圧制御回路６による電圧制御を適用しても、出力電圧Ｖｏｕｔの変動状況によっては光源駆動部３の変換効率の改善効果をさほど得られない場合もある。
【００８９】
一方、時間Ｔ２〜Ｔ３の期間及び時間Ｔ４以降は、発光素子４の点灯動作状態が安定しているため、発光素子４の動作順電圧Ｖｆ及び出力電圧Ｖｏｕｔは一定であり、光源駆動部３の入出力電位差ΔＶは常に大きな値を維持している。このため、出力電圧制御回路６による電圧制御を適用すれば、光源駆動部３の変換効率改善に関して、非常に大きな効果を得ることができる。
【００９０】
上記から、光源駆動部３の変換効率改善を効果的に行うには、発光素子４の点灯動作状態が安定している期間に行うことが望ましい。このような観点から、本実施形態では、発光素子４の点灯後、又は、発光素子４の照度変更後、所定の時間が経過した後に、出力電圧制御回路６による電圧制御を行っている。
【００９１】
なお、出力電圧制御回路６による電圧制御は、発光素子４の点灯後、又は、発光素子４の照度変更後、任意のタイミングで実行されてもよい。例えば、発光素子４の点灯直後、又は、発光素子４の照度変更直後に、出力電圧制御回路６による電圧制御を開始してもよい。
【００９２】
また、発光素子４の照度を変更すると、入力電圧Ｖｉｎを［Ｖｆ（ｍａｘ）×ｎ＋ΔＶ１］に設定しているが、この設定は省略してもよい。すなわち、入力電圧Ｖｉｎを［Ｖｆ（ｍａｘ）×ｎ＋ΔＶ１］に設定して発光素子４を点灯させ、出力電圧制御回路６による電圧制御を開始した後は、照度が変更されても、そのまま出力電圧制御回路６による電圧制御を継続してもよい。
【００９３】
また、本実施形態の光源点灯装置において、駆動電流可変信号Ｓ２により指示される駆動電流の設定値はＡ１とＡ２の２つに限定されるものではない。駆動電流可変信号Ｓ２により、３つ以上の設定値のうちから設定値を指示してもよい。
【００９４】
また、光源駆動部３により点灯させる光源は、複数の発光素子４が直列に接続されたものとしているが、これに限定されない。光源を構成する発光素子４の数は１つであってもよい。ただし、直列に接続された発光素子４が多いほど、光源駆動部３の効率改善の効果は大きい。
【００９５】
また、本実施形態の光源駆動装置は、複数の発光素子４が並列に接続された光源にも適用することができるが、その場合、光源駆動部３の変換効率改善の効果は小さい。
【００９６】
（第２の実施形態）
図３は、本発明の第２の実施形態である光源点灯装置の構成を示すブロック図である。
【００９７】
本実施形態の光源点灯装置は、ＯＮ／ＯＦＦ信号Ｓ３は用いず、ＤＣ／ＤＣコンバーター部２に、タイマー回路８を追加した点で、第１の実施形態のものと異なる。
【００９８】
タイマー回路８は、点灯開始時点または照度変更時点からの経過時間を計測する。点灯信号Ｓ１及び駆動電流可変信号Ｓ２は、コンバーター回路３ａ及び出力電圧制御回路６に供給される。
【００９９】
出力電圧制御回路６は、点灯開示時点から発光素子４の状態が安定するまでの時間（図２に示した時間Ｔ１〜Ｔ３の期間に対応する時間）を示す第１の時間情報、及び照度変更時点から発光素子４の状態が安定するまでの時間（図２に示した時間Ｔ４〜Ｔ５の期間に対応する時間）を示す第２の時間情報を予め保持している。
【０１００】
出力電圧制御回路６は、点灯信号Ｓ１に基づいて点灯開始時点を判定し、タイマー回路８にて点灯開始時点からの経過時間を計測させる。そして、出力電圧制御回路６は、タイマー回路８の計測時間が第１の時間情報により示される時間に達すると、発光素子４の点灯動作状態が安定したと判定する。これにより、出力電圧制御回路６は、図２に示した時間Ｔ１〜Ｔ３の期間を認識することができる。
【０１０１】
また、出力電圧制御回路６は、駆動電流可変信号Ｓ２に基づいて照度変更時点を判定し、タイマー回路８にて照度変更時点からの経過時間を計測させる。そして、出力電圧制御回路６は、タイマー回路８の計測時間が第２の時間情報により示される時間に達すると、発光素子４の点灯動作状態が安定したと判定する。これにより、出力電圧制御回路６は、図２に示した時間Ｔ４〜Ｔ５の期間を認識することができる。
【０１０２】
上記のタイマー回路８を用いた期間判定以外の動作は、第１の実施形態と同様であるので、ここでは、その説明を省略する。
【０１０３】
本実施形態の光源点灯装置においても、第１の実施形態と同様の作用効果を奏する。
【０１０４】
また、本実施形態の光源点灯装置においても、第１の実施形態で説明した構成のバリエーションを全て適用することができる。
【０１０５】
なお、第１及び第２の時間情報は、発光素子４の特性や数、動作環境に応じて適宜に設定する。第１及び第２の時間情報は、同じ時間を設定してもよく、また、異なる時間を設定してもよい。
【０１０６】
なお、本実施形態の光源点灯装置において、出力電圧制御回路６による電圧制御を開始した後、照度が変更されても、そのまま出力電圧制御回路６による電圧制御を継続する構成を適用する場合は、第２の時間情報は不要である。
【０１０７】
（第３の実施形態）
図４は、本発明の第３の実施形態である光源点灯装置の構成を示すブロック図である。
【０１０８】
本実施形態の光源点灯装置は、タイマー回路８に代えてタイマー回路８１を設けた点で、第１の実施形態のものと異なる。
【０１０９】
点灯信号Ｓ１及び駆動電流可変信号Ｓ２は、コンバーター回路３ａ及びタイマー回路８１に供給されている。
【０１１０】
タイマー回路８１は、第１及び第２のタイマーを有する。第１のタイマーは、点灯信号Ｓ１がＯＮ状態になると、そのＯＮ状態の継続時間を計測し、計測時間が第１の時間に達するとその旨を示す第１の指示信号を出力する。第２のタイマーは、駆動電流可変信号Ｓ２の設定値が変更されると、その変更時点からの変更後の設定値が維持された状態の継続時間を計測し、計測時間が第２の時間に達するとその旨を示す第２の指示信号を出力する。
【０１１１】
出力電圧制御回路６は、第１のタイマーから第１の指示信号を受信すると、点灯後、発光素子４の点灯動作状態が安定したと判定する。これにより、出力電圧制御回路６は、図２に示した時間Ｔ３のタイミングを認識することができる。
【０１１２】
また、出力電圧制御回路６は、第２のタイマーから第２の指示信号を受信すると、照度変更後、発光素子４の点灯動作状態が安定したと判定する。これにより、出力電圧制御回路６は、図２に示した時間Ｔ５のタイミングを認識することができる。
【０１１３】
上記のタイマー回路８１を用いたタイミング判定以外の動作は、第１の実施形態と同様であるので、ここでは、その説明を省略する。
【０１１４】
本実施形態の光源点灯装置においても、第１の実施形態と同様の作用効果を奏する。
【０１１５】
また、本実施形態の光源点灯装置においても、第１の実施形態で説明した構成のバリエーションを全て適用することができる。
【０１１６】
なお、第１のタイマーでの判定で用いる第１の時間及び第２のタイマーでの判定で用いる第２の時間は、発光素子４の特性や数、動作環境に応じて適宜に設定する。第１及び第２の時間は、同じ時間を設定してもよく、また、異なる時間を設定してもよい。
【０１１７】
なお、本実施形態の光源点灯装置において、出力電圧制御回路６による電圧制御を開始した後、照度が変更されても、そのまま出力電圧制御回路６による電圧制御を継続する構成を適用する場合は、第２のタイマーは不要である。
【０１１８】
以上説明した各実施形態の光源点灯装置において、ＤＣ/ＤＣコンバーター部２を絶縁型降圧コンバーターで構成してもよい。これにより、発光素子４を２次側として扱うことが可能である。
【０１１９】
（電子機器）
上述した各実施形態の光源点灯装置は、ＬＤやＬＥＤなどの光源を備える電子機器、例えば、プロジェクターや液晶表示装置などの表示装置に適用することができる。
【０１２０】
図５に、表示装置の一例を示す。
【０１２１】
図５を参照すると、表示装置は、光源点灯装置１０、光源１１、表示パネル１２、制御部１３及び入力部１４を有する。
【０１２２】
光源１１は、ＬＤやＬＥＤなどの発光素子よりなる。本例では、光源１１は、直列に接続された複数の発光素子からなる。光源点灯装置１０は、光源１１を点灯するものであって、上述した第１乃至第３の実施形態の光源点灯装置のいずれかにより構成される。
【０１２３】
表示パネル１２は、光源１１からの光を空間的または時間的に変調することで画像を形成または表示する。例えば、表示パネル１２は、液晶パネルにより構成される。
【０１２４】
入力部１４は、複数の操作キーや操作ボタンを有する。操作者は、入力部１４を使用して表示装置を動作させるのに必要な入力操作を行う。入力部１４は、操作者による入力操作に応じた指示信号を制御部１３に供給する。
【０１２５】
制御部１３は、本表示装置全体の動作を制御するものであって、例えば、入力部１４からの指示信号に従って光源点灯装置１０や表示パネル１２の動作を制御する。
【０１２６】
光源点灯装置１０の制御において、制御部１３は、第１乃至第３の実施形態で説明したＣＰＵ部５と同様の動作を行うことができる。
【０１２７】
具体的には、光源点灯装置１０が第１の実施形態の光源点灯装置である場合は、制御部１３は、図１に示したＣＰＵ部５と同様、点灯信号Ｓ１及び駆動電流可変信号Ｓ２を光源駆動部３のコンバーター回路３ａに供給し、ＯＮ／ＯＦＦ信号Ｓ３をＤＣ／ＤＣコンバーター部２の出力電圧制御回路６に供給する。制御部１３は、点灯開始時点から発光素子４の点灯動作状態が安定するまでの時間（例えば、図２に示した時間Ｔ１〜Ｔ３の期間に相当する時間）の情報及び照度変更時点から発光素子４の点灯動作状態が安定するまでの時間（例えば、図２に示した時間Ｔ４〜Ｔ５の期間に相当する時間）の情報を予め保持している。
【０１２８】
また、光源点灯装置１０が第２の実施形態の光源点灯装置である場合は、制御部１３は、点灯信号Ｓ１及び駆動電流可変信号Ｓ２を光源駆動部３のコンバーター回路３ａ及びＤＣ／ＤＣコンバーター部２の出力電圧制御回路６に供給する。この場合は、制御部１３は、点灯開始時点から発光素子４の点灯動作状態が安定するまでの時間情報や照度変更時点から発光素子４の点灯動作状態が安定するまでの時間情報を保持する必要はない。
【０１２９】
また、光源点灯装置１０が第３の実施形態の光源点灯装置である場合は、制御部１３は、点灯信号Ｓ１及び駆動電流可変信号Ｓ２を光源駆動部３のコンバーター回路３ａ及びＤＣ／ＤＣコンバーター部２のタイマー回路８１に供給する。この場合も、制御部１３は、点灯開始時点から発光素子４の点灯動作状態が安定するまでの時間情報や照度変更時点から発光素子４の点灯動作状態が安定するまでの時間情報を保持する必要はない。
【０１３０】
上記の表示装置において、表示パネル１２に代えて、光源１１からの光を利用する別の構成要素を用いてもよい。別の構成要素は、例えば、照明装置等である。
【０１３１】
以上説明した各実施形態の光源点灯装置及びそれを備えた電子機器は、本発明の一例であり、その構成および動作は、当業者が理解し得る範囲において適宜に変更することができる。
【０１３２】
例えば、第１乃至第３の実施形態の光源点灯装置それぞれにおいて、図５に示した制御部１３及び入力部１４を加えてもよい。
【０１３３】
また、発光素子４の温度を検出するセンサを設けて、出力電圧制御回路６は、このセンサにより検出された発光素子４の検出温度が閾値を超えた時点で、発光素子４の点灯動作状態が安定したと判定してもよい。この場合、閾値は、駆動電流可変信号Ｓ３により指定される駆動電流の設定値毎に設定された複数の閾値を含んでいてもよい。
【０１３４】
また、本発明は、以下の付記１〜１１のような形態をとり得るが、これら形態に限定されない。
【０１３５】
（付記１）
発光素子を点灯する光源点灯装置であって、
入力電圧を第１の電圧に変換するコンバーター部と、
前記コンバーター部から出力された前記第１の電圧、および前記発光素子の駆動電流値を示す制御信号を入力とし、該制御信号により示される値の駆動電流が前記発光素子に流れるように前記発光素子に印加される出力電圧を変化させる光源駆動部と、を有し、
前記コンバーター部は、前記発光素子の点灯開始時は、前記第１の電圧を所定の電圧に固定し、点灯後は、前記光源駆動部の入力電圧と出力電圧の差が所定の値になるように前記第１の電圧を調整する、光源点灯装置。
【０１３６】
（付記２）
前記光源駆動部は、
前記コンバーター部から供給された前記第１の電圧を入力とし、前記第１の電圧よりも低い第２の電圧を前記発光素子に供給し、該第２の電圧が前記発光素子の動作順電圧に応じて変化するコンバーター回路と、
前記コンバーター回路から出力される前記第２の電圧を所定の時間間隔で検出する電圧検出部と、を有し、
前記コンバーター部は、前記電圧検出部により検出した前記第２の電圧の検出電圧に前記所定の値の電位差を加えたものを前記第１の電圧とする出力電圧制御回路を有する、付記１に記載の光源点灯装置。
【０１３７】
（付記３）
前記出力電圧制御回路は、前記発光素子の点灯開始時点から第１の所定の時間を経過するまでは、前記第１の電圧を前記所定の電圧に固定し、該第１の所定の時間が経過した後は、前記電圧検出部により検出した前記第２の電圧の検出電圧に前記所定の値の電位差を加えたものを前記第１の電圧とする、付記２に記載の光源点灯装置。
【０１３８】
（付記４）
前記光源駆動部は、前記制御信号に従って、前記発光素子に流れる電流量を変更し、
前記出力電圧制御回路は、前記電流量の変更時点から第２の所定の時間が経過するまでは、前記第１の電圧を前記所定の電圧に固定し、該第２の所定の時間が経過した後は、前記電圧検出部により検出した前記第２の電圧の検出電圧に前記所定の値の電位差を加えたものを前記第１の電圧とする、付記３に記載の光源点灯装置。
【０１３９】
（付記５）
前記コンバーター部は、時間を計測するタイマーを、さらに有し、
前記出力電圧制御回路は、点灯開始指示に応じて前記タイマーを起動させ、該タイマーの計測時間に基づいて前記第１の所定の時間が経過したか否かを判定する、付記３または４に記載の光源点灯装置。
【０１４０】
（付記６）
前記出力電圧制御回路は、前記制御信号による駆動電流の変更に応じて前記タイマーを起動させ、該タイマーの計測時間に基づいて前記第２の所定の時間が経過したか否かを判定する、付記５に記載の光源点灯装置。
【０１４１】
（付記７）
前記コンバーター部は、点灯開始指示に応じて経過時間を計測する第１のタイマーを、さらに有し、
前記出力電圧制御回路は、前記第１のタイマーの計測時間に基づいて前記第１の所定の時間が経過したか否かを判定する、付記３または４に記載の光源点灯装置。
【０１４２】
（付記８）
前記コンバーター部は、前記制御信号による駆動電流の変更に応じて経過時間を計測する第２のタイマーを、さらに有し、
前記出力電圧制御回路は、前記第２のタイマーの計測時間に基づいて前記第２の所定の時間が経過したか否かを判定する、付記７に記載の光源点灯装置。
【０１４３】
（付記９）
前記発光素子の温度を検出するセンサを、さらに有し、
前記出力電圧制御回路は、前記センサにより検出される前記発光素子の検出温度が閾値を超えた時点を前記第１の所定の時間が経過した時点と判定する、付記３または４に記載の光源点灯装置。
【０１４４】
（付記１０）
第１の電圧を入力とし、所定の量の駆動電流が発光素子に流れるように前記発光素子に印加される出力電圧を変化させる光源駆動部を備えた装置において行われる光源点灯方法であって、
前記発光素子の点灯開始時は、前記第１の電圧を所定の電圧に固定し、点灯後は、前記光源駆動部の入力電圧と出力電圧の差が所定の値になるように、前記第１の電圧を調整する、光源点灯方法。
【０１４５】
（付記１１）
発光素子と、
前記発光素子を点灯する光源点灯装置と、
前記光源点灯装置の点灯動作を制御するとともに、前記発光素子の駆動電流値を示す制御信号を前記光源点灯装置に供給する制御部と、を有し、
前記光源点灯装置は、
入力電圧を第１の電圧に変換するコンバーター部と、
前記コンバーター部から出力された前記第１の電圧を入力とし、前記制御信号により示される値の駆動電流が前記発光素子に流れるように前記発光素子に印加される出力電圧を変化させる光源駆動部と、を有し、
前記コンバーター部は、前記発光素子の点灯開始時は、前記第１の電圧を所定の電圧に固定し、点灯後は、前記光源駆動部の入力電圧と出力電圧の差が所定の値になるように前記第１の電圧を調整する、電子機器。
【０１４６】
上記付記１〜１１において、コンバーター部は、ＤＣ／ＤＣコンバーター部２に対応し、光源駆動部は、光源駆動部３に対応する。制御信号は、駆動電流可変信号Ｓ２に対応する。電圧検出部は、出力電圧検出回路７に対応する。
【符号の説明】
【０１４７】
１  電源
２  ＤＣ／ＤＣコンバーター部
２ａ  コンバーター回路
３  光源駆動部
３ａ  コンバーター回路
４  発光素子
５  ＣＰＵ部
６  出力電圧制御回路
７  出力電圧検出回路
【図１】
2015106551.tif 000004
【図２】
2015106551.tif 000005
【図３】
2015106551.tif 000006
【図４】
2015106551.tif 000007
【図５】
2015106551.tif 000008
【図６】
2015106551.tif 000009
【図７】
2015106551.tif 000010